(57)【特許請求の範囲】
【請求項１】
回動可能な背もたれ部を有するリクライニング車椅子であって、
アームサポートと、
前記アームサポートの先端部に着設された把持部と、
前記把持部に着設された、リクライニングを操作するためのプッシュボタンと、を備え、
当該リクライニング車椅子の座乗者が前記把持部をしっかりと握って前記プッシュボタンを押しながら腕の力で背を起こすことができるように、前記把持部が座乗者の手に収まる大きさ及び形状で構成されていることを特徴とするリクライニング車椅子。
【請求項２】
前記プッシュボタンが着設された前記把持部の前記プッシュボタンの上に一方端が開閉自在に蝶番が取着されたカバーで覆われていることを特徴とする請求項１に記載のリクライニング車椅子。
【請求項３】
リクライニングを操作する前記プッシュボタンが着設される前記把持部の横幅が５ｃｍ〜１０ｃｍであり、長さが５ｃｍ〜１０ｃｍであることを特徴とする請求項１又は２に記載のリクライニング車椅子。
【請求項４】
前記把持部は、側面視略Ｌ字型の形状を有し、その下側が手を掛けやすいように窪んでいることを特徴とする請求項１から３のいずれか一項に記載のリクライニング車椅子。
【請求項５】
リクライニングを操作するプッシュボタンが当該車椅子後部のグリップにさらに着設され、車椅子の座乗者と介護者のいずれでもプッシュボタンを押すことによってリクライニング操作ができることを特徴とする請求項１から４のいずれか一項に記載のリクライニング車椅子。
【発明の詳細な説明】
【技術分野】
【０００１】
手元に着設されたプッシュボタンによりリクライニングにすることができる車椅子に関する。より詳しくは、車椅子の利用者が自分の意志で背もたれの角度を調節できるようにリクライニング用の操作レバーをプッシュボタン形状として、アームサポート先端部に把持部を設けて操作ボタンを着設したリクライニング車椅子に関する。
【背景技術】
【０００２】
車椅子には様々な症状の人が座乗し、その症状も日によって異なることが多く、長時間窮屈な姿勢で座乗することは耐えられないこともある。そのような場合に、車椅子の背もたれのの角度を変えて、より安定した姿勢を取るために車椅子にもリクライニング機構が設けられている。
【０００３】
特許文献１のリクライニングを操作するレバーは、段落（００１３）「３９は前記肘掛け３４の下部に設けられた前記伸縮固定装置１９の固定解除を操作するレバーであり、前後両端部に等長のリンク４０ａ、４０ｂの一端をそれぞれ枢着し、他端を肘掛け３４側に設けられた耳状金具４１ａ、４１ｂに連結して平行リンクを構成している。そして、この後側の耳状金具４１ｂと前記伸縮固定装置１９とをワイヤー４２により連結し、前記リンク４０ｂには上動時にアウターワイヤー４２ａの前端部を押圧する金具４３を設け、レバー３９の上下動により伸縮固定装置１９の固定及び解除が操作できるように設けられている。」と記載のように、肘掛けの下に枠を形成して、その枠を動かしてリクライニング操作を行っている。
【０００４】
特許文献２のリクライニングを操作するレバーは、段落（００２８）「以上詳述したように、本実施形態のリクライニング式車いす１によれば、使用者が肘掛け３１に設けられたリクライニングレバー３３を操作することにより、使用者は座ったまま、自分で背もたれを２０の傾斜角度を調整することができる。しかも、単一のリクライニングレバー３３を操作するだけで、左右のアクチュエータ２４、２４を互いに同じタイミングで作動させることができるので、それらのアクチュエータ２４、２４を簡単かつバランス良く作動させることができ、その結果、リクライニングを簡単かつ円滑に行うことができる。」と記載されているように、リクライニング用の操作レバーは肘掛けに設けられている。
【０００５】
特許文献３のリクライニングを操作するレバーは、段落（００２２）「着座シート１４の両側枠４１の後端部と、背もたれ部１５の両側枠２４の元部とは、１対の第４の軸支部４６を介してそれぞれ連結されている。両第４の軸支部４６にはリクライニングレバー４７が配設されている。リクライニングレバー４７は、背もたれ部１５の傾倒を多段階に固定させるレバーで、その元部に配されたカバーの内部には、図示しないラチェット爪を有するラチェット構造体が収納されている。」、及び段落（００２５）の第５行目より「リクライニング時には、使用者がリクライニングレバー４７を固定解除側に回動させる。次に、背中で背もたれ部１５を台車後方に押す。」と記載されている。特許文献３のリクライニングを操作するレバー４７は座部の後端部で背もたれの元部に着設されている。
【０００６】
特許文献４のリクライニングを操作するレバーは、段落（００１４）「図２はリクライニング車椅子１００をリクライニングの状態にした図である。ハンドル１９の下に着設されたリクライニンググリップ２０をハンドル１９の方に握ると伸縮部材２２が解除されて、背もたれフレーム１７を後方に倒したり、元の位置に戻したりすることができる。」と記載され、リクライニンググリップはハンドルの下に着設され、介護者が操作するもので、使用者には操作することができない。
【０００７】
上記のように、リクライニング車椅子のリクライニングにするための操作レバーは様々な位置に着設されている。特に、長時間車椅子に座していても疲れないような角度にするために、使用者自身が背もたれの角度を調節できるような操作レバーが望ましいが、操作レバーの方式では、使用者が操作レバーを操作しながら背もたれを後方に倒すのは難しい等の問題があった。そこで、車椅子の使用者が把持部を持って、後に凭れていけば、背もたれを望みの角度に調節できるようなリクライニング車椅子の出現が望まれている。
【特許文献１】特開平８−２１５２５２号公報
【特許文献２】特開２００３−６２０１５号公報
【特許文献３】特開２００４−３５８０９０号公報
【特許文献４】特開２００６−２４６９９０号公報
【発明の開示】
【発明が解決しようとする課題】
【０００８】
上記のように、リクライニング車椅子のリクライニングにするための操作は、レバー操作が主流であり、車椅子の使用者が操作のし易いプッシュボタン式による操作は見られない。本発明は、リクライニング車椅子のリクライニングにするための操作方法を操作レバーに替えて、車椅子の使用者にとって操作がし易いプッシュボタン方式を提供するものである。
【課題を解決するための手段】
【０００９】
一般に、リクライニング車椅子のリクライニングにするための操作レバーは、介護者が操作するために、後部ハンドルのグリップに着設されている。一方、車椅子に長時間に亘って座していても疲れないような背もたれの角度にするためには、車椅子の使用者自身が背もたれの角度を調節できることが望ましい。特に、車椅子の使用者自身がリクライニング操作をするためにはアームサポートに着設されおり、さらに、様々な使用者に対応できるように、アームサポートの一方側（１個所）で操作できることが望ましい。
【００１０】
本発明の特徴は、回動可能な背もたれ部を有するリクライニング車椅子であって、前記リクライニングを操作するプッシュボタンがアームサポートの先端部に取着されていることを特徴とするプッシュボタンタイプリクライニング車椅子である。リクライニングを操作する操作レバーに替えて、アームサポートの先端部に取着したプッシュボタン方式とすることにより、リクライニングの操作が容易になる。
【００１１】
本発明の別の特徴は、リクライニングを操作するプッシュボタンが車椅子のアームサポートの先端部に取着された把持部に着設されていることを特徴とするプッシュボタンタイプリクライニング車椅子である。アームサポートの先端部に把持部を取着して、ここにリクライニングを操作するプッシュボタンを着設することによって、ボタンを押しながら把持部に手を掛けて背もたれ角度の調節や、起き上がったりすることができる。
【００１２】
本発明の別の特徴は、プッシュボタンが着設された把持部のプッシュボタンの上に一方端が開閉自在に蝶番が取着されたたカバーで覆われていることを特徴とする請求項１、又は請求項２のいずれかに記載のプッシュボタンタイプリクライニング車椅子である。把持部に着設されたプッシュボタンの上に、カバーの一方端を蝶番で開閉自在に着設したカバーで覆うことによって、カバーの上部を軽く手で触れるだけでボタンが押され、非力な使用者でも簡単に車椅子の背の角度を調節することができる。
【００１３】
本発明の別の特徴は、リクライニングを操作するプッシュボタンが着設されている把持部の横幅が５ｃｍ〜１０ｃｍであり、長さが５ｃｍ〜１０ｃｍであることを特徴とするプッシュボタンタイプリクライニング車椅子である。プッシュボタンを着設するための把持部の大きさを手の平に収まるほどの大きさとして手で掴み易くする。通常は横幅を５ｃｍ〜１０ｃｍとし、長さが５ｃｍ〜１０ｃｍ位が望ましい。
【００１４】
本発明の別の特徴は、回動可能な背もたれ部を有するリクライニング車椅子のリクライニングを操作するプッシュボタンがアームサポートの先端部と、車椅子後部のグリップに着設され、車椅子の座乗者と介護者のいずれでもプッシュボタンを押すことによってリクライニング操作ができることを特徴とするプッシュボタンタイプリクライニング車椅子である。リクライニング車椅子のリクライニングを操作するプッシュボタンが車椅子のアームサポートの先端部と車椅子の後部のグリップに着設されることにより、車椅子の座乗者が単独で操作することも、介護者が介助する場合でも操作できるようになる。
【発明の効果】
【００１５】
車椅子の背もたれをリクライニングに操作するための操作レバーをプッシュボタンに替えることによって、車椅子の使用者にも背もたれの角度が使用者自身で簡単に調節できるようになる。アームサポートの先端部に把持部を着設して、ここにリクライニングを操作するプッシュボタンを取着することによって、プッシュボタンを押しながら把持部を握って背もたれの角度を調節したり、起きあがったりすることができる。
【００１６】
車椅子の座乗者が腹筋が弱く、自身の腹筋の力で起き上がることが出来ない等の場合に、本願発明の把持部をしっかりと握り、ボタンを押しながら腕の力で背を起すことができる。
【発明を実施するための最良の形態】
【００１７】
以下に図面を用いて本発明のプッシュボタンタイプリクライニング車椅子について説明するが、本発明は以下の実施例に限定されるものではない。
【００１８】
図１に示すように、本発明のプッシュボタンタイプリクライニング車椅子１００は、回動可能な背もたれ部１１を有するリクライニング車椅子であって、回動可能な背もたれ部１１の前記リクライニングを操作するプッシュボタン１０がアームサポート先端部１３に取着されているプッシュボタンタイプリクライニング車椅子１００である。このプッシュボタン１０は左右どちらか、あるいは両方のアームサポート１３に設けられる。
【００１９】
図２は、本発明のプッシュボタンタイプリクライニング車椅子１００のリクライニングに使用する伸縮部材２５を示す。本願発明に置いて使用した伸縮部材２５一つのボタン２１で二本の伸縮部材２５、２５を操作するタイプである。
【００２０】
図３は、本発明のプッシュボタンタイプリクライニング車椅子１００のリクライニングに使用した伸縮部材２５で、一つのボタン２１で一本の伸縮部材２５を操作するタイプである。
【００２１】
図４は、プッシュボタンタイプリクライニング車椅子１００のアームサポート１３の先端部に着設するプッシュボタン１０の二つの形状を例示する。プッシュボタン１０が着設されている把持部２２は、車椅子の使用者が把持部２２に手を掛けてボタン２１を押しながら、リクライニングにしたり、リクライニングを元に戻すために、強く握れる大きさであって、把持部２２の横幅が５ｃｍ〜１０ｃｍで、長さが５ｃｍ〜１０ｃｍ位で、使用者の手に収まる大きさが望ましい。
【００２２】
車椅子の座乗者が腹筋が弱く、自身の腹筋の力で起き上がることが出来ない等の場合に、本願発明の把持部をしっかりと握り、ボタンを押しながら腕の力で背を起すことができる。そのために、把持部２２の形状は使用者の症状に合わせて図（４−１）に示すような上から握るタイプか、図（４−２）に示す横から握るタイプを選択して、アームサポートの先端部、あるいはアームサポートの横に取着する。
【００２３】
図５は、プッシュボタンタイプリクライニング車椅子１００のアームサポート１３の先端部に着設するプッシュボタン１０のボタン２１を有する把持部２２の上面図、側面図を示す。図（５−１）はボタン２１を有する把持部２２の側面斜視図で、把持部２２は手を掛けやすいようにＬ字型の形状にして、Ｌ字型の指のかかる内側は少し窪んでいる。図（５−２）はボタン２１を有する把持部２２の上面図で、アームサポート１３のフレームに把持部の接続部２３を嵌挿してネジで固定する。図（５−３）はボタン２１を有する把持部２２の正面図であり、把持部２２の下側は手を掛けやすいように窪んでいる。図（５−４）はボタン２１を有する把持部２２の側面を示す。
【００２４】
図６は、プッシュボタンタイプリクライニング車椅子１００のアームサポート１３の先端部に着設するカバー付きのプッシュボタン２０で、ボタン２１の上に一方を蝶番などで回動自在に着設したカバー２４を掛けたプッシュボタン２０を示す。図（６−１）はカバー２４を掛けたプッシュボタン２０の把持部２２の側面斜視図で、把持部２２はＬ字型の形状をしており、内側は手を掛けやすいように窪んでいる。図（６−２）は、一方側に蝶番を着設した回動自在のカバー２４を掛けたプッシュボタン２０で、回動自在のカバー２４の下にボタン２１を有する把持部２２の上面図を示す。アームサポート１３のフレームに把持部の接続部２３を嵌挿してネジで固定する。図（６−３）は回動自在のカバー２４を掛けたプッシュボタン２０のボタン２１を有する把持部２２の正面図であり、Ｌ字形状の把持部２２の下側は手を掛けやすいように窪んでいることを示す。図（６−４）は回動自在のカバー２４を掛けたプッシュボタン２０のボタン２１を有する把持部２２の側面を示し、カバー２４を押すことによって、力の弱い使用者もテコの原理で簡単にボタン２１を押すことができる。
【００２５】
図７は、リクライニングの操作用のプッシュボタン１０を車椅子のグリップ２７とアームサポート１３の２個所に設けたリクライニング車椅子の側面図である。リクライニングの操作用のプッシュボタン１０を車椅子のグリップ２７とアームサポート１３の２個所に設けることによって、グリップ２７のプッシュボタン１０で介護者がアームサポート１３のプッシュボタン１０で車椅子の座乗者がリクライニング操作ができる。グリップ２７に着設するプッシュボタン１０はアームサポート１３に着設するプッシュボタン１０よりも小型にして、介護者がグリップ２７を握りながらボタンを押せるような大きさで、かつ指が届く範囲に取着する。
【００２６】
従来、車椅子の後部（グリップ）に着設されているブレーキ用とリクライニング用の操作レバーは両方共に同じレバー形状であり、ブレーキ操作とリクライニング操作を行う際に混乱を生じていたが、リクライニング用をボタン形状とし、ブレーキ用をレバー形状とすることにより、操作がし易くなり、操作間違いが減少する。
【図面の簡単な説明】
【００２７】
【図１】本発明のプッシュボタンタイプリクライニング車椅子の斜視図である。
【図２】プッシュボタンタイプリクライニング車椅子に使用する一つのボタンが二本の伸縮部材に繋がっている平面図を示す。
【図３】プッシュボタンタイプリクライニング車椅子に使用するボタンが一本の伸縮部材に繋がっている平面図を示す。
【図４】リクライニング車椅子のアームサポートの先端部に着設するプッシュボタンの斜視図を示す。
【図５】リクライニング車椅子のアームサポートの先端部に着設するプッシュボタンの上面図、側面図を示す。
【図６】リクライニング車椅子のアームサポートの先端部に着設する異なるタイプのプッシュボタンの上面図、側面図を示す。
【図７】リクライニング操作用のプッシュボタンをグリップとアームサポートに着設したリクライニング車椅子の側面図を示す。
【符号の説明】
【００２８】
１００：プッシュボタンタイプリクライニング車椅子
１０：プッシュボタン
１１：背もたれ
１２：座部
１３：アームサポート
１４：主車輪
１５：前部キャスター
１６：後部キャスター
１７：ブレーキ
１８：フットレストフレーム
１９：フットレスト
２０：回動自在のカバー付きプッシュボタン
２１：ボタン
２２：把持部
２３：接続部
２４：カバー
２５：伸縮部材
２６：操作レバー
２７：グリップ
２８：ブレーキレバー
【図１】
0005123714.tif 000002
【図２】
0005123714.tif 000003
【図３】
0005123714.tif 000004
【図４】
0005123714.tif 000005
【図５】
0005123714.tif 000006
【図６】
0005123714.tif 000007
【図７】
0005123714.tif 000008